(57)【要約】【課題】本発明は果物包装袋を開示した。【解決手段】本発明の果物包装袋は、収納箱を含み、前記収納箱の中には動力装置が設置され、前記収納箱の下端には包装袋が設置され、前記包装袋の中には伸縮装置と転がり玉装置が設置され、前記動力装置は前記収納箱の中に設置された同期ベルトチャンバが設置され、本発明は結構が簡単で、操作が便利で、真空状態で果物を保存でき、保存時間を伸ばすだけではなく、気体によって包装膜を包囲でき、果物が搬送する時に壊れるのを回避し、異なる道路に搬送でき、使用しない時に装置を収納して占用空間を減少する。【選択図】図１
2020179925.tif 000002
【特許請求の範囲】
【請求項１】
果物包装袋であって、収納箱を含み、前記収納箱の中には動力装置が設置され、前記収納箱の下端には包装袋が設置され、前記包装袋の中には伸縮装置と転がり玉装置が設置され、前記動力装置は前記収納箱の中に設置された同期ベルトチャンバが設置され、前記同期ベルトチャンバの中には主プーリが回転できるように設置され、前記主プーリの中にはモーター軸が固定的に連結され、前記同期ベルトチャンバの下側の内壁の中にはモーターが固定的に設置され、前記モーター軸が前記モーターに伝動できるように連結され、前記同期ベルトチャンバの左側の内壁の中には始動チャンバが連通して設置され、前記始動チャンバの中には副プーリが回転できるように設置され、前記副プーリと前記主プーリとの間には同期ベルトが連結され、前記副プーリの中には連結軸が固定的に連結され、前記連結軸の下端には回転ブロックが固定的に連結され、前記回転ブロックの下側にはスライダがスライドできるように設置され、前記スライダの上端が前記回転ブロックと当接し、前記始動チャンバの左側の内壁の中には復帰チャンバが連通して設置され、前記復帰チャンバの中には前記スライダに固定的に連結された復帰ブロックがスライドできるように設置され、前記復帰ブロックの下端と前記復帰チャンバの下側の内壁との間には復帰撥条が固定的に連結され、前記スライダの下端には始動ブロックが固定的に連結され、前記始動チャンバの下側の内壁の中にはポンプが固定的に設置され、前記始動ブロックが前記ポンプに電気的に接続されることができ、前記ポンプの下端には上ピストンが固定的に連結され、前記上ピストンの中にはピストン通路が上下に貫通して設置され、前記ポンプの前後左右端面にはいずれも密閉ブロックが当接して設置され、前記密閉ブロックのうち前記ポンプから離れている一端には通気管が固定的に連結され、前記通気管の中には通気通路貫通して設置され、前記通気通路が前記密閉ブロックを貫通しており、
前記モーターを始動し、前記モーターがベルト伝動によって前記回転ブロックを回転連動させ、更に前記スライダと前記始動ブロックを押し動かして下へスライドさせ、前記始動ブロックと前記ポンプとが連結する時前記ポンプを始動し、前記ポンプが前記ピストン通路の中から吸気して前記通気通路に排気することを特徴に記載の果物包装袋。
【請求項２】
前記伸縮装置は前記包装袋の中の上に開口した包装袋チャンバを含み、前記包装袋チャンバの中には包装膜が設置され、前記包装膜の中には包装チャンバが設置され、前記包装膜の下端には下ピストンが固定的に連結され、前記下ピストンの下端が前記包装袋チャンバの下側の内壁に固定的に連結され、前記上ピストンの下端が前記包装チャンバの中に伸びており、前記包装袋チャンバの中には四つの空気貯蔵膜が設置され、前記空気貯蔵膜の中には空気貯蔵チャンバが設置され、前記通気管が前記空気貯蔵チャンバの中に伸びており、前記収納箱の中には収納チャンバが下に開口して設置され、前記収納チャンバの上側の内壁の中にはガイド溝が左右に対称に連通して設置され、前記ガイド溝の左右両側の内壁の間にはガイドロッドが固定的に連結され、前記ガイドロッドには折畳み管がスライドできるように連結され、前記包装袋の中には上に開口した折畳み管チャンバが左右に対称的に設置され、前記折畳み管の下端が前記折畳み管チャンバの中に伸びており、前記折畳み管の下端と前記折畳み管チャンバの下側の内壁との間には伸び撥条が固定的に連結され、前記包装袋チャンバの左側の内壁には左固定ボードが前後に対称的に固定的に連結され、前記左固定ボードの中には右に開口した連結チャンバが上下に貫通して設置され、前記連結チャンバの前後の内壁の間には固定棒が固定的に連結され、前記固定棒には右固定ボードが回転できるように連結され、前記右固定ボードの右端が前記包装袋チャンバの右側の内壁に固定的に連結されており、
前記ポンプによって前記包装チャンバの中の空気を前記空気貯蔵チャンバの中に流し、使用しない時前記包装チャンバと前記空気貯蔵チャンバの中の空気を全部排出し、この時前記包装袋を前記収納チャンバの中に収納できることを特徴とする果物包装袋。
【請求項３】
前記転がり玉装置は前記包装袋の中に回転できるように設置された左右に対称的な鎖歯車軸を含み、前記鎖歯車軸の前後両端には鎖歯車輪が固定的に連結され、左右両側の前記鎖歯車輪の間には鎖歯車が連結され、前記鎖歯車のうち中心から離れている一側の端面の中には均一に分布された十八本の転がり玉軸が回転できるように連結され、前記転がり玉軸のうち中心から離れている一端には転がり玉が回転できるように連結されており、
前記転がり玉が自転でき、前記転がり玉は平らな道路での移動に適用し、前記鎖歯車輪と前記鎖歯車が平らでない道路に適用することを特徴とする請求項１に記載の果物包装袋。
【請求項４】
前記包装袋の中には引き線チャンバが前後且つ左右に対称的に設置され、前記引き線チャンバの中には巻線軸が回転できるように設置され、左右両側の前記巻線軸の間には引き線が連結され、前記引き線が前後に対称的であり、前記引き線には敷膜が固定的に連結され、前記引き線のうち中心から離れている一端と前記引き線チャンバの内壁との間にはねじりばねが固定的に連結され、前記収納箱の上端には引き棒が固定的に連結されており、
前記引き線を引き出した後前記敷膜を握って装置を提げられ、前記敷膜によって指との摩損を防止でき、手を離した後前記ねじりばねの弾力の作用によって前記引き線を締付けることができ、或いは直接に前記引き棒によって装置を提げることもできることを特徴とする請求項１に記載の果物包装袋。
【発明の詳細な説明】
【技術分野】
【０００１】
本発明は生産包装分野を取り上げて、具体的には果物包装袋である。
【背景技術】
【０００２】
日常の生活には果物を買い、果物の賞味期限が短く、それに搬送過程にはぶつかって壊れやすく、一般的には発泡板を使って果物を包装し、ところがとられるスペースが大きく、しかも搬送が不便であり、環境に優しくなく、そのため真空に果物を保存でき且つ衝突防止できる包装袋を設計する必要があり、本装置は真空状態に果物を保存でき、保存時間を伸ばせるだけではなく、気体で包装膜を包囲することで搬送中の衝突で果物が壊れるのを防止し、異なった道路条件の搬送に便利を与える。
【先行技術文献】
【特許文献】
【０００３】
【特許文献１】中国特許出願公開第１０５４９２３４２号明細書
【発明の概要】
【発明が解決しようとする課題】
【０００４】
本発明の解決する技術問題は果物包装袋を提供し、それが上記現有の技術の問題を解決できる。
【課題を解決するための手段】
【０００５】
本発明の果物包装袋は、収納箱を含み、前記収納箱の中には動力装置が設置され、前記収納箱の下端には包装袋が設置され、前記包装袋の中には伸縮装置と転がり玉装置が設置され、前記動力装置は前記収納箱の中に設置された同期ベルトチャンバが設置され、前記同期ベルトチャンバの中には主プーリが回転できるように設置され、前記主プーリの中にはモーター軸が固定的に連結され、前記同期ベルトチャンバの下側の内壁の中にはモーターが固定的に設置され、前記モーター軸が前記モーターに伝動できるように連結され、前記同期ベルトチャンバの左側の内壁の中には始動チャンバが連通して設置され、前記始動チャンバの中には副プーリが回転できるように設置され、前記副プーリと前記主プーリとの間には同期ベルトが連結され、前記副プーリの中には連結軸が固定的に連結され、前記連結軸の下端には回転ブロックが固定的に連結され、前記回転ブロックの下側にはスライダがスライドできるように設置され、前記スライダの上端が前記回転ブロックと当接し、前記始動チャンバの左側の内壁の中には復帰チャンバが連通して設置され、前記復帰チャンバの中には前記スライダに固定的に連結された復帰ブロックがスライドできるように設置され、前記復帰ブロックの下端と前記復帰チャンバの下側の内壁との間には復帰撥条が固定的に連結され、前記スライダの下端には始動ブロックが固定的に連結され、前記始動チャンバの下側の内壁の中にはポンプが固定的に設置され、前記始動ブロックが前記ポンプに電気的に接続されることができ、前記ポンプの下端には上ピストンが固定的に連結され、前記上ピストンの中にはピストン通路が上下に貫通して設置され、前記ポンプの前後左右端面にはいずれも密閉ブロックが当接して設置され、前記密閉ブロックのうち前記ポンプから離れている一端には通気管が固定的に連結され、前記通気管の中には通気通路貫通して設置され、前記通気通路が前記密閉ブロックを貫通しており、
前記モーターを始動し、前記モーターがベルト伝動によって前記回転ブロックを回転連動させ、更に前記スライダと前記始動ブロックを押し動かして下へスライドさせ、前記始動ブロックと前記ポンプとが連結する時前記ポンプを始動し、前記ポンプが前記ピストン通路の中から吸気して前記通気通路に排気する。
【０００６】
更なる技術方案、前記伸縮装置は前記包装袋の中の上に開口した包装袋チャンバを含み、前記包装袋チャンバの中には包装膜が設置され、前記包装膜の中には包装チャンバが設置され、前記包装膜の下端には下ピストンが固定的に連結され、前記下ピストンの下端が前記包装袋チャンバの下側の内壁に固定的に連結され、前記上ピストンの下端が前記包装チャンバの中に伸びており、前記包装袋チャンバの中には四つの空気貯蔵膜が設置され、前記空気貯蔵膜の中には空気貯蔵チャンバが設置され、前記通気管が前記空気貯蔵チャンバの中に伸びており、前記収納箱の中には収納チャンバが下に開口して設置され、前記収納チャンバの上側の内壁の中にはガイド溝が左右に対称に連通して設置され、前記ガイド溝の左右両側の内壁の間にはガイドロッドが固定的に連結され、前記ガイドロッドには折畳み管がスライドできるように連結され、前記包装袋の中には上に開口した折畳み管チャンバが左右に対称的に設置され、前記折畳み管の下端が前記折畳み管チャンバの中に伸びており、前記折畳み管の下端と前記折畳み管チャンバの下側の内壁との間には伸び撥条が固定的に連結され、前記包装袋チャンバの左側の内壁には左固定ボードが前後に対称的に固定的に連結され、前記左固定ボードの中には右に開口した連結チャンバが上下に貫通して設置され、前記連結チャンバの前後の内壁の間には固定棒が固定的に連結され、前記固定棒には右固定ボードが回転できるように連結され、前記右固定ボードの右端が前記包装袋チャンバの右側の内壁に固定的に連結されており、
前記ポンプによって前記包装チャンバの中の空気を前記空気貯蔵チャンバの中に流し、使用しない時前記包装チャンバと前記空気貯蔵チャンバの中の空気を全部排出し、この時前記包装袋を前記収納チャンバの中に収納できる。
【０００７】
更なる技術方案、前記転がり玉装置は前記包装袋の中に回転できるように設置された左右に対称的な鎖歯車軸を含み、前記鎖歯車軸の前後両端には鎖歯車輪が固定的に連結され、左右両側の前記鎖歯車輪の間には鎖歯車が連結され、前記鎖歯車のうち中心から離れている一側の端面の中には均一に分布された十八本の転がり玉軸が回転できるように連結され、前記転がり玉軸のうち中心から離れている一端には転がり玉が回転できるように連結されており、
前記転がり玉が自転でき、前記転がり玉は平らな道路での移動に適用し、前記鎖歯車輪と前記鎖歯車が平らでない道路に適用する。
【０００８】
更なる技術方案、前記包装袋の中には引き線チャンバが前後且つ左右に対称的に設置され、前記引き線チャンバの中には巻線軸が回転できるように設置され、左右両側の前記巻線軸の間には引き線が連結され、前記引き線が前後に対称的であり、前記引き線には敷膜が固定的に連結され、前記引き線のうち中心から離れている一端と前記引き線チャンバの内壁との間にはねじりばねが固定的に連結され、前記収納箱の上端には引き棒が固定的に連結されており、
前記引き線を引き出した後前記敷膜を握って装置を提げられ、前記敷膜によって指との摩損を防止でき、手を離した後前記ねじりばねの弾力の作用によって前記引き線を締付けることができ、或いは直接に前記引き棒によって装置を提げることもできる。
【発明の効果】
【０００９】
本発明の有益な効果は下記の通りである：
【００１０】
本発明は結構が簡単で、操作が便利で、真空状態で果物を保存でき、保存時間を伸ばすだけではなく、気体によって包装膜を包囲でき、果物が搬送する時に壊れるのを回避し、異なる道路に搬送でき、使用しない時に装置を収納して占用空間を減少する。
【図面の簡単な説明】
【００１１】
【図１】図１は本発明の果物包装袋の内部構成模式図
【図２】図２は図１の「Ａ−Ａ」の方向の構成模式図
【図３】図３は図１の「Ｂ−Ｂ」の方向の構成模式図
【図４】図４は図１の「Ｃ−Ｃ」の方向の構成模式図
【図５】図５は図１の「Ｄ」の拡大模式図
【図６】図６は図３の「Ｅ−Ｅ」の方向の構成模式図
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６を参考して、本発明の果物包装袋は、収納箱１１を含み、前記収納箱１１の中には動力装置１００が設置され、前記収納箱１１の下端には包装袋２１が設置され、前記包装袋２１の中には伸縮装置と転がり玉装置１０２が設置され、前記動力装置１００は前記収納箱１１の中に設置された同期ベルトチャンバ５０が設置され、前記同期ベルトチャンバ５０の中には主プーリ１５が回転できるように設置され、前記主プーリ１５の中にはモーター軸１４が固定的に連結され、前記同期ベルトチャンバ５０の下側の内壁の中にはモーター１６が固定的に設置され、前記モーター軸１４が前記モーター１６に伝動できるように連結され、前記同期ベルトチャンバ５０の左側の内壁の中には始動チャンバ５７が連通して設置され、前記始動チャンバ５７の中には副プーリ４８が回転できるように設置され、前記副プーリ４８と前記主プーリ１５との間には同期ベルト１３が連結され、前記副プーリ４８の中には連結軸４９が固定的に連結され、前記連結軸４９の下端には回転ブロック５１が固定的に連結され、前記回転ブロック５１の下側にはスライダ５２がスライドできるように設置され、前記スライダ５２の上端が前記回転ブロック５１と当接し、前記始動チャンバ５７の左側の内壁の中には復帰チャンバ５５が連通して設置され、前記復帰チャンバ５５の中には前記スライダ５２に固定的に連結された復帰ブロック５４がスライドできるように設置され、前記復帰ブロック５４の下端と前記復帰チャンバ５５の下側の内壁との間には復帰撥条５６が固定的に連結され、前記スライダ５２の下端には始動ブロック５３が固定的に連結され、前記始動チャンバ５７の下側の内壁の中にはポンプ６１が固定的に設置され、前記始動ブロック５３が前記ポンプ６１に電気的に接続されることができ、前記ポンプ６１の下端には上ピストン５９が固定的に連結され、前記上ピストン５９の中にはピストン通路６０が上下に貫通して設置され、前記ポンプ６１の前後左右端面にはいずれも密閉ブロック５８が当接して設置され、前記密閉ブロック５８のうち前記ポンプ６１から離れている一端には通気管１７が固定的に連結され、前記通気管１７の中には通気通路３８貫通して設置され、前記通気通路３８が前記密閉ブロック５８を貫通しており、
前記モーター１６を始動し、前記モーター１６がベルト伝動によって前記回転ブロック５１を回転連動させ、更に前記スライダ５２と前記始動ブロック５３を押し動かして下へスライドさせ、前記始動ブロック５３と前記ポンプ６１とが連結する時前記ポンプ６１を始動し、前記ポンプ６１が前記ピストン通路６０の中から吸気して前記通気通路３８に排気する。
【００１４】
有益なように、前記伸縮装置１０１は前記包装袋２１の中の上に開口した包装袋チャンバ３６を含み、前記包装袋チャンバ３６の中には包装膜２２が設置され、前記包装膜２２の中には包装チャンバ２３が設置され、前記包装膜２２の下端には下ピストン２８が固定的に連結され、前記下ピストン２８の下端が前記包装袋チャンバ３６の下側の内壁に固定的に連結され、前記上ピストン５９の下端が前記包装チャンバ２３の中に伸びており、前記包装袋チャンバ３６の中には四つの空気貯蔵膜３４が設置され、前記空気貯蔵膜３４の中には空気貯蔵チャンバ３５が設置され、前記通気管１７が前記空気貯蔵チャンバ３５の中に伸びており、前記収納箱１１の中には収納チャンバ３７が下に開口して設置され、前記収納チャンバ３７の上側の内壁の中にはガイド溝１８が左右に対称に連通して設置され、前記ガイド溝１８の左右両側の内壁の間にはガイドロッド１９が固定的に連結され、前記ガイドロッド１９には折畳み管２０がスライドできるように連結され、前記包装袋２１の中には上に開口した折畳み管チャンバ２５が左右に対称的に設置され、前記折畳み管２０の下端が前記折畳み管チャンバ２５の中に伸びており、前記折畳み管２０の下端と前記折畳み管チャンバ２５の下側の内壁との間には伸び撥条３３が固定的に連結され、前記包装袋チャンバ３６の左側の内壁には左固定ボード２９が前後に対称的に固定的に連結され、前記左固定ボード２９の中には右に開口した連結チャンバ４７が上下に貫通して設置され、前記連結チャンバ４７の前後の内壁の間には固定棒４６が固定的に連結され、前記固定棒４６には右固定ボード２７が回転できるように連結され、前記右固定ボード２７の右端が前記包装袋チャンバ３６の右側の内壁に固定的に連結されており、
前記ポンプ６１によって前記包装チャンバ２３の中の空気を前記空気貯蔵チャンバ３５の中に流し、使用しない時前記包装チャンバ２３と前記空気貯蔵チャンバ３５の中の空気を全部排出し、この時前記包装袋２１を前記収納チャンバ３７の中に収納できる。
【００１５】
有益なように、前記転がり玉装置１０２は前記包装袋２１の中に回転できるように設置された左右に対称的な鎖歯車軸３０を含み、前記鎖歯車軸３０の前後両端には鎖歯車輪２６が固定的に連結され、左右両側の前記鎖歯車輪２６の間には鎖歯車３９が連結され、前記鎖歯車３９のうち中心から離れている一側の端面の中には均一に分布された十八本の転がり玉軸３１が回転できるように連結され、前記転がり玉軸３１のうち中心から離れている一端には転がり玉３２が回転できるように連結されており、
前記転がり玉３２が自転でき、前記転がり玉３２は平らな道路での移動に適用し、前記鎖歯車輪２６と前記鎖歯車３９が平らでない道路に適用する。
【００１６】
有益なように、前記包装袋２１の中には引き線チャンバ４１が前後且つ左右に対称的に設置され、前記引き線チャンバ４１の中には巻線軸４４が回転できるように設置され、左右両側の前記巻線軸４４の間には引き線４２が連結され、前記引き線４２が前後に対称的であり、前記引き線４２には敷膜４５が固定的に連結され、前記引き線４２のうち中心から離れている一端と前記引き線チャンバ４１の内壁との間にはねじりばね４３が固定的に連結され、前記収納箱１１の上端には引き棒１２が固定的に連結されており、
前記引き線４２を引き出した後前記敷膜４５を握って装置を提げられ、前記敷膜４５によって指との摩損を防止でき、手を離した後前記ねじりばね４３の弾力の作用によって前記引き線４２を締付けることができ、或いは直接に前記引き棒１２によって装置を提げることもできる。
【００１７】
使用する時、包装チャンバ２３の中に果物を入れ、上ピストン５９を包装チャンバ２３の中に伸び、左固定ボード２９と右固定ボード２７が包装袋２１を支持でき、モーター１６を始動し、ベルト伝動を駆動して回転ブロック５１を回転連動させ、それによりスライダ５２と始動ブロック５３を推して下へスライドさせ、始動ブロック５３とポンプ６１とが連結する時ポンプ６１を始動し、それにより包装チャンバ２３の内部が真空に近くなるまで包装チャンバ２３の中の空気を引き出して空気貯蔵チャンバ３５の中に流し、果物の賞味期限を延長でき、同時に空気貯蔵チャンバ３５の中が空気で満たされれば果物が包装袋チャンバ３６の内壁と直接にぶつかるのを防止でき、引き線４２を引き出した後敷膜４５を握って装置を提げられ、敷膜４５は指との摩損を防止でき、手を離した後、ねじりばね４３の弾力によって引き線４２を締付けられ、或いは引き棒１２によって装置を提げられ、果物が重ければ、装置を地面に置いて引っ張ることができ、転がり玉３２が自転でき、平らな道路に適用し、鎖歯車輪２６が回転して鎖歯車３９をスライド連動させ、平らでない道路に適用し、果物をもっと便利に搬送でき、使用しない時、包装チャンバ２３と空気貯蔵チャンバ３５の中の空気を排出し、左固定ボード２９と右固定ボード２７を垂直になるまで回転させ、包装袋２１を収納チャンバ３７の中に折り畳んで収納してから鎖歯車３９を取り外して検修また潤滑できる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179925.tif 000003
【図２】
2020179925.tif 000004
【図３】
2020179925.tif 000005
【図４】
2020179925.tif 000006
【図５】
2020179925.tif 000007
【図６】
2020179925.tif 000008
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
果物包装袋であって、収納箱を含み、前記収納箱の中には動力装置が設置され、前記収納箱の下端には包装袋が設置され、前記包装袋の中には伸縮装置と転がり玉装置が設置され、前記動力装置は前記収納箱の中に設置された同期ベルトチャンバが設置され、前記同期ベルトチャンバの中には主プーリが回転できるように設置され、前記主プーリの中にはモーター軸が固定的に連結され、前記同期ベルトチャンバの下側の内壁の中にはモーターが固定的に設置され、前記モーター軸が前記モーターに伝動できるように連結され、前記同期ベルトチャンバの左側の内壁の中には始動チャンバが連通して設置され、前記始動チャンバの中には副プーリが回転できるように設置され、前記副プーリと前記主プーリとの間には同期ベルトが連結され、前記副プーリの中には連結軸が固定的に連結され、前記連結軸の下端には回転ブロックが固定的に連結され、前記回転ブロックの下側にはスライダがスライドできるように設置され、前記スライダの上端が前記回転ブロックと当接し、前記始動チャンバの左側の内壁の中には復帰チャンバが連通して設置され、前記復帰チャンバの中には前記スライダに固定的に連結された復帰ブロックがスライドできるように設置され、前記復帰ブロックの下端と前記復帰チャンバの下側の内壁との間には復帰撥条が固定的に連結され、前記スライダの下端には始動ブロックが固定的に連結され、前記始動チャンバの下側の内壁の中にはポンプが固定的に設置され、前記始動ブロックが前記ポンプに電気的に接続されることができ、前記ポンプの下端には上ピストンが固定的に連結され、前記上ピストンの中にはピストン通路が上下に貫通して設置され、前記ポンプの前後左右端面にはいずれも密閉ブロックが当接して設置され、前記密閉ブロックのうち前記ポンプから離れている一端には通気管が固定的に連結され、前記通気管の中には通気通路貫通して設置され、前記通気通路が前記密閉ブロックを貫通しており、
前記モーターを始動し、前記モーターがベルト伝動によって前記回転ブロックを回転連動させ、更に前記スライダと前記始動ブロックを押し動かして下へスライドさせ、前記始動ブロックと前記ポンプとが連結する時前記ポンプを始動し、前記ポンプが前記ピストン通路の中から吸気して前記通気通路に排気することができ、
前記伸縮装置は前記包装袋の中の上に開口した包装袋チャンバを含み、前記包装袋チャンバの中には包装膜が設置され、前記包装膜の中には包装チャンバが設置され、前記包装膜の下端には下ピストンが固定的に連結され、前記下ピストンの下端が前記包装袋チャンバの下側の内壁に固定的に連結され、前記上ピストンの下端が前記包装チャンバの中に伸びており、前記包装袋チャンバの中には四つの空気貯蔵膜が設置され、前記空気貯蔵膜の中には空気貯蔵チャンバが設置され、前記通気管が前記空気貯蔵チャンバの中に伸びており、前記収納箱の中には収納チャンバが下に開口して設置され、前記収納チャンバの上側の内壁の中にはガイド溝が左右に対称に連通して設置され、前記ガイド溝の左右両側の内壁の間にはガイドロッドが固定的に連結され、前記ガイドロッドには折畳み管がスライドできるように連結され、前記包装袋の中には上に開口した折畳み管チャンバが左右に対称的に設置され、前記折畳み管の下端が前記折畳み管チャンバの中に伸びており、前記折畳み管の下端と前記折畳み管チャンバの下側の内壁との間には伸び撥条が固定的に連結され、前記包装袋チャンバの左側の内壁には左固定ボードが前後に対称的に固定的に連結され、前記左固定ボードの中には右に開口した連結チャンバが上下に貫通して設置され、前記連結チャンバの前後の内壁の間には固定棒が固定的に連結され、前記固定棒には右固定ボードが回転できるように連結され、前記右固定ボードの右端が前記包装袋チャンバの右側の内壁に固定的に連結されており、
前記ポンプによって前記包装チャンバの中の空気を前記空気貯蔵チャンバの中に流し、使用しない時前記包装チャンバと前記空気貯蔵チャンバの中の空気を全部排出し、この時前記包装袋を前記収納チャンバの中に収納できることを特徴とする果物包装袋。
【請求項２】
前記転がり玉装置は前記包装袋の中に回転できるように設置された左右に対称的な鎖歯車軸を含み、前記鎖歯車軸の前後両端には鎖歯車輪が固定的に連結され、左右両側の前記鎖歯車輪の間には鎖歯車が連結され、前記鎖歯車のうち中心から離れている一側の端面の中には均等な距離で各々配置された十八本の転がり玉軸が回転できるように連結され、前記転がり玉軸のうち中心から離れている一端には転がり玉が回転できるように連結されており、
前記転がり玉が自転でき、前記転がり玉は平らな道路での移動に適用し、前記鎖歯車輪と前記鎖歯車が平らでない道路に適用することを特徴とする請求項１に記載の果物包装袋。
【請求項３】
前記包装袋の中には引き線チャンバが前後且つ左右に対称的に設置され、前記引き線チャンバの中には巻線軸が回転できるように設置され、左右両側の前記巻線軸の間には引き線が連結され、前記引き線が前後に対称的であり、前記引き線には敷膜が固定的に連結され、前記引き線のうち中心から離れている一端と前記引き線チャンバの内壁との間にはねじりばねが固定的に連結され、前記収納箱の上端には引き棒が固定的に連結されており、前記引き線を引き出した後前記敷膜を握って前記果物包装袋を提げられ、手を離した後前記ねじりばねの弾力の作用によって前記引き線を締付けることができ、或いは直接に前記引き棒によって前記果物包装袋を提げることもできることを特徴とする請求項１に記載の果物包装袋。
【手続補正２】
【補正対象書類名】明細書
【補正対象項目名】全文
【補正方法】変更
【補正の内容】
【発明の詳細な説明】
【技術分野】
【０００１】
本発明は生産包装分野を取り上げて、具体的には果物包装袋である。
【背景技術】
【０００２】
日常の生活には果物を買い、果物の賞味期限が短く、それに搬送過程にはぶつかって壊れやすく、一般的には発泡板を使って果物を包装し、ところがとられるスペースが大きく、しかも搬送が不便であり、環境に優しくなく、そのため真空に果物を保存でき且つ衝突防止できる包装袋を設計する必要があり、本装置は真空状態に果物を保存でき、保存時間を伸ばせるだけではなく、気体で包装膜を包囲することで搬送中の衝突で果物が壊れるのを防止し、異なった道路条件の搬送に便利を与える。
【先行技術文献】
【特許文献】
【０００３】
【特許文献１】中国特許出願公開第１０５４９２３４２号明細書
【発明の概要】
【発明が解決しようとする課題】
【０００４】
本発明の解決する技術問題は果物包装袋を提供し、それが上記現有の技術の問題を解決できる。
【課題を解決するための手段】
【０００５】
本発明の果物包装袋は、収納箱を含み、前記収納箱の中には動力装置が設置され、前記収納箱の下端には包装袋が設置され、前記包装袋の中には伸縮装置と転がり玉装置が設置され、前記動力装置は前記収納箱の中に設置された同期ベルトチャンバが設置され、前記同期ベルトチャンバの中には主プーリが回転できるように設置され、前記主プーリの中にはモーター軸が固定的に連結され、前記同期ベルトチャンバの下側の内壁の中にはモーターが固定的に設置され、前記モーター軸が前記モーターに伝動できるように連結され、前記同期ベルトチャンバの左側の内壁の中には始動チャンバが連通して設置され、前記始動チャンバの中には副プーリが回転できるように設置され、前記副プーリと前記主プーリとの間には同期ベルトが連結され、前記副プーリの中には連結軸が固定的に連結され、前記連結軸の下端には回転ブロックが固定的に連結され、前記回転ブロックの下側にはスライダがスライドできるように設置され、前記スライダの上端が前記回転ブロックと当接し、前記始動チャンバの左側の内壁の中には復帰チャンバが連通して設置され、前記復帰チャンバの中には前記スライダに固定的に連結された復帰ブロックがスライドできるように設置され、前記復帰ブロックの下端と前記復帰チャンバの下側の内壁との間には復帰撥条が固定的に連結され、前記スライダの下端には始動ブロックが固定的に連結され、前記始動チャンバの下側の内壁の中にはポンプが固定的に設置され、前記始動ブロックが前記ポンプに電気的に接続されることができ、前記ポンプの下端には上ピストンが固定的に連結され、前記上ピストンの中にはピストン通路が上下に貫通して設置され、前記ポンプの前後左右端面にはいずれも密閉ブロックが当接して設置され、前記密閉ブロックのうち前記ポンプから離れている一端には通気管が固定的に連結され、前記通気管の中には通気通路貫通して設置され、前記通気通路が前記密閉ブロックを貫通しており、
前記モーターを始動し、前記モーターがベルト伝動によって前記回転ブロックを回転連動させ、更に前記スライダと前記始動ブロックを押し動かして下へスライドさせ、前記始動ブロックと前記ポンプとが連結する時前記ポンプを始動し、前記ポンプが前記ピストン通路の中から吸気して前記通気通路に排気する。
【０００６】
更なる技術方案、前記伸縮装置は前記包装袋の中の上に開口した包装袋チャンバを含み、前記包装袋チャンバの中には包装膜が設置され、前記包装膜の中には包装チャンバが設置され、前記包装膜の下端には下ピストンが固定的に連結され、前記下ピストンの下端が前記包装袋チャンバの下側の内壁に固定的に連結され、前記上ピストンの下端が前記包装チャンバの中に伸びており、前記包装袋チャンバの中には四つの空気貯蔵膜が設置され、前記空気貯蔵膜の中には空気貯蔵チャンバが設置され、前記通気管が前記空気貯蔵チャンバの中に伸びており、前記収納箱の中には収納チャンバが下に開口して設置され、前記収納チャンバの上側の内壁の中にはガイド溝が左右に対称に連通して設置され、前記ガイド溝の左右両側の内壁の間にはガイドロッドが固定的に連結され、前記ガイドロッドには折畳み管がスライドできるように連結され、前記包装袋の中には上に開口した折畳み管チャンバが左右に対称的に設置され、前記折畳み管の下端が前記折畳み管チャンバの中に伸びており、前記折畳み管の下端と前記折畳み管チャンバの下側の内壁との間には伸び撥条が固定的に連結され、前記包装袋チャンバの左側の内壁には左固定ボードが前後に対称的に固定的に連結され、前記左固定ボードの中には右に開口した連結チャンバが上下に貫通して設置され、前記連結チャンバの前後の内壁の間には固定棒が固定的に連結され、前記固定棒には右固定ボードが回転できるように連結され、前記右固定ボードの右端が前記包装袋チャンバの右側の内壁に固定的に連結されており、
前記ポンプによって前記包装チャンバの中の空気を前記空気貯蔵チャンバの中に流し、使用しない時前記包装チャンバと前記空気貯蔵チャンバの中の空気を全部排出し、この時前記包装袋を前記収納チャンバの中に収納できる。
【０００７】
更なる技術方案、前記転がり玉装置は前記包装袋の中に回転できるように設置された左右に対称的な鎖歯車軸を含み、前記鎖歯車軸の前後両端には鎖歯車輪が固定的に連結され、左右両側の前記鎖歯車輪の間には鎖歯車が連結され、前記鎖歯車のうち中心から離れている一側の端面の中には均等な距離で各々配置された十八本の転がり玉軸が回転できるように連結され、前記転がり玉軸のうち中心から離れている一端には転がり玉が回転できるように連結されており、
前記転がり玉が自転でき、前記転がり玉は平らな道路での移動に適用し、前記鎖歯車輪と前記鎖歯車が平らでない道路に適用する。
【０００８】
更なる技術方案、前記包装袋の中には引き線チャンバが前後且つ左右に対称的に設置され、前記引き線チャンバの中には巻線軸が回転できるように設置され、左右両側の前記巻線軸の間には引き線が連結され、前記引き線が前後に対称的であり、前記引き線には敷膜が固定的に連結され、前記引き線のうち中心から離れている一端と前記引き線チャンバの内壁との間にはねじりばねが固定的に連結され、前記収納箱の上端には引き棒が固定的に連結されており、
前記引き線を引き出した後前記敷膜を握って前記果物包装袋を提げられ、手を離した後前記ねじりばねの弾力の作用によって前記引き線を締付けることができ、或いは直接に前記引き棒によって前記果物包装袋を提げることもできる。
【発明の効果】
【０００９】
本発明の有益な効果は下記の通りである：
【００１０】
本発明は結構が簡単で、操作が便利で、真空状態で果物を保存でき、保存時間を伸ばすだけではなく、気体によって包装膜を包囲でき、果物が搬送する時に壊れるのを回避し、異なる道路に搬送でき、使用しない時に装置を収納して占用空間を減少する。
【図面の簡単な説明】
【００１１】
【図１】図１は本発明の果物包装袋の内部構成模式図
【図２】図２は図１の「Ａ−Ａ」の方向の構成模式図
【図３】図３は図１の「Ｂ−Ｂ」の方向の構成模式図
【図４】図４は図１の「Ｃ−Ｃ」の方向の構成模式図
【図５】図５は図１の「Ｄ」の拡大模式図
【図６】図６は図３の「Ｅ−Ｅ」の方向の構成模式図
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６を参考して、本発明の果物包装袋は、収納箱１１を含み、前記収納箱１１の中には動力装置１００が設置され、前記収納箱１１の下端には包装袋２１が設置され、前記包装袋２１の中には伸縮装置と転がり玉装置１０２が設置され、前記動力装置１００は前記収納箱１１の中に設置された同期ベルトチャンバ５０が設置され、前記同期ベルトチャンバ５０の中には主プーリ１５が回転できるように設置され、前記主プーリ１５の中にはモーター軸１４が固定的に連結され、前記同期ベルトチャンバ５０の下側の内壁の中にはモーター１６が固定的に設置され、前記モーター軸１４が前記モーター１６に伝動できるように連結され、前記同期ベルトチャンバ５０の左側の内壁の中には始動チャンバ５７が連通して設置され、前記始動チャンバ５７の中には副プーリ４８が回転できるように設置され、前記副プーリ４８と前記主プーリ１５との間には同期ベルト１３が連結され、前記副プーリ４８の中には連結軸４９が固定的に連結され、前記連結軸４９の下端には回転ブロック５１が固定的に連結され、前記回転ブロック５１の下側にはスライダ５２がスライドできるように設置され、前記スライダ５２の上端が前記回転ブロック５１と当接し、前記始動チャンバ５７の左側の内壁の中には復帰チャンバ５５が連通して設置され、前記復帰チャンバ５５の中には前記スライダ５２に固定的に連結された復帰ブロック５４がスライドできるように設置され、前記復帰ブロック５４の下端と前記復帰チャンバ５５の下側の内壁との間には復帰撥条５６が固定的に連結され、前記スライダ５２の下端には始動ブロック５３が固定的に連結され、前記始動チャンバ５７の下側の内壁の中にはポンプ６１が固定的に設置され、前記始動ブロック５３が前記ポンプ６１に電気的に接続されることができ、前記ポンプ６１の下端には上ピストン５９が固定的に連結され、前記上ピストン５９の中にはピストン通路６０が上下に貫通して設置され、前記ポンプ６１の前後左右端面にはいずれも密閉ブロック５８が当接して設置され、前記密閉ブロック５８のうち前記ポンプ６１から離れている一端には通気管１７が固定的に連結され、前記通気管１７の中には通気通路３８貫通して設置され、前記通気通路３８が前記密閉ブロック５８を貫通しており、
前記モーター１６を始動し、前記モーター１６がベルト伝動によって前記回転ブロック５１を回転連動させ、更に前記スライダ５２と前記始動ブロック５３を押し動かして下へスライドさせ、前記始動ブロック５３と前記ポンプ６１とが連結する時前記ポンプ６１を始動し、前記ポンプ６１が前記ピストン通路６０の中から吸気して前記通気通路３８に排気する。
【００１４】
有益なように、前記伸縮装置１０１は前記包装袋２１の中の上に開口した包装袋チャンバ３６を含み、前記包装袋チャンバ３６の中には包装膜２２が設置され、前記包装膜２２の中には包装チャンバ２３が設置され、前記包装膜２２の下端には下ピストン２８が固定的に連結され、前記下ピストン２８の下端が前記包装袋チャンバ３６の下側の内壁に固定的に連結され、前記上ピストン５９の下端が前記包装チャンバ２３の中に伸びており、前記包装袋チャンバ３６の中には四つの空気貯蔵膜３４が設置され、前記空気貯蔵膜３４の中には空気貯蔵チャンバ３５が設置され、前記通気管１７が前記空気貯蔵チャンバ３５の中に伸びており、前記収納箱１１の中には収納チャンバ３７が下に開口して設置され、前記収納チャンバ３７の上側の内壁の中にはガイド溝１８が左右に対称に連通して設置され、前記ガイド溝１８の左右両側の内壁の間にはガイドロッド１９が固定的に連結され、前記ガイドロッド１９には折畳み管２０がスライドできるように連結され、前記包装袋２１の中には上に開口した折畳み管チャンバ２５が左右に対称的に設置され、前記折畳み管２０の下端が前記折畳み管チャンバ２５の中に伸びており、前記折畳み管２０の下端と前記折畳み管チャンバ２５の下側の内壁との間には伸び撥条３３が固定的に連結され、前記包装袋チャンバ３６の左側の内壁には左固定ボード２９が前後に対称的に固定的に連結され、前記左固定ボード２９の中には右に開口した連結チャンバ４７が上下に貫通して設置され、前記連結チャンバ４７の前後の内壁の間には固定棒４６が固定的に連結され、前記固定棒４６には右固定ボード２７が回転できるように連結され、前記右固定ボード２７の右端が前記包装袋チャンバ３６の右側の内壁に固定的に連結されており、
前記ポンプ６１によって前記包装チャンバ２３の中の空気を前記空気貯蔵チャンバ３５の中に流し、使用しない時前記包装チャンバ２３と前記空気貯蔵チャンバ３５の中の空気を全部排出し、この時前記包装袋２１を前記収納チャンバ３７の中に収納できる。
【００１５】
有益なように、前記転がり玉装置１０２は前記包装袋２１の中に回転できるように設置された左右に対称的な鎖歯車軸３０を含み、前記鎖歯車軸３０の前後両端には鎖歯車輪２６が固定的に連結され、左右両側の前記鎖歯車輪２６の間には鎖歯車３９が連結され、前記鎖歯車３９のうち中心から離れている一側の端面の中には均等な距離で各々配置された十八本の転がり玉軸３１が回転できるように連結され、前記転がり玉軸３１のうち中心から離れている一端には転がり玉３２が回転できるように連結されており、
前記転がり玉３２が自転でき、前記転がり玉３２は平らな道路での移動に適用し、前記鎖歯車輪２６と前記鎖歯車３９が平らでない道路に適用する。
【００１６】
有益なように、前記包装袋２１の中には引き線チャンバ４１が前後且つ左右に対称的に設置され、前記引き線チャンバ４１の中には巻線軸４４が回転できるように設置され、左右両側の前記巻線軸４４の間には引き線４２が連結され、前記引き線４２が前後に対称的であり、前記引き線４２には敷膜４５が固定的に連結され、前記引き線４２のうち中心から離れている一端と前記引き線チャンバ４１の内壁との間にはねじりばね４３が固定的に連結され、前記収納箱１１の上端には引き棒１２が固定的に連結されており、
前記引き線４２を引き出した後前記敷膜４５を握って前記果物包装袋を提げられ、手を離した後前記ねじりばね４３の弾力の作用によって前記引き線４２を締付けることができ、或いは直接に前記引き棒１２によって前記果物包装袋を提げることもできる。
【００１７】
使用する時、包装チャンバ２３の中に果物を入れ、上ピストン５９を包装チャンバ２３の中に伸び、左固定ボード２９と右固定ボード２７が包装袋２１を支持でき、モーター１６を始動し、ベルト伝動を駆動して回転ブロック５１を回転連動させ、それによりスライダ５２と始動ブロック５３を推して下へスライドさせ、始動ブロック５３とポンプ６１とが連結する時ポンプ６１を始動し、それにより包装チャンバ２３の内部が真空に近くなるまで包装チャンバ２３の中の空気を引き出して空気貯蔵チャンバ３５の中に流し、果物の賞味期限を延長でき、同時に空気貯蔵チャンバ３５の中が空気で満たされれば果物が包装袋チャンバ３６の内壁と直接にぶつかるのを防止でき、引き線４２を引き出した後敷膜４５を握って前記果物包装袋を提げられ、手を離した後、ねじりばね４３の弾力によって引き線４２を締付けられ、或いは引き棒１２によって前記果物包装袋を提げられ、果物が重ければ、装置を地面に置いて引っ張ることができ、転がり玉３２が自転でき、平らな道路に適用し、鎖歯車輪２６が回転して鎖歯車３９をスライド連動させ、平らでない道路に適用し、果物をもっと便利に搬送でき、使用しない時、包装チャンバ２３と空気貯蔵チャンバ３５の中の空気を排出し、左固定ボード２９と右固定ボード２７を垂直になるまで回転させ、包装袋２１を収納チャンバ３７の中に折り畳んで収納してから鎖歯車３９を取り外して検修また潤滑できる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。